(57)【特許請求の範囲】
【請求項１】
編地を構成する編糸が前の編目から後の編目、後の編目から前の編目へジグザグ状に延びて形成される前後の複数の編目からなる編み出しコースを有する横編機で編まれた編地において、前記編み出しコースにおける前の各編目から後の各編目へ延びる編糸部分と後の前記各編目から続く前の各編目に延びる編糸部分がそれぞれ交差した編み出し構造を有することを特徴とする横編機で編まれた編地。
【請求項２】
左右方向に延び、かつ前後方向に互いに対向する少なくとも第１の針床と第２の針床を有する横編機を用いて、編地を編み始めるために前後針床の針に対して一度にたくさんの増し目を形成し、該形成した編み出し箇所から編地を編成する方法において、増し目は編地を編み出す領域の一端側から他端側に向けて順次ひとつづつ形成されていくものであり、以下のステップを含む；
ａ）給糸口を前記領域の一端側に向けて移動して編糸を一方の針床の最初の針Ｃにフックさせ最初の増し目２１を形成するステップ、
ｂ）編糸を前記領域の他端側に向けて移動して次に増し目２２を形成する針ｃを越える位置へ案内するステップ、
ｃ）給糸口を前記領域の一端側に向けて移動して編糸を他方の針床の最初の針ｃにフックさせ次の増し目２２を形成するステップ、
ｄ）編糸を前記領域の他端側に向けて移動して次に増し目２３を形成する針Ｄを越える位置へ案内するステップ、
ｅ）上記ステップａ〜ｄを前記領域にある続く前後の針床の針に対して繰り返し行って編地の編み出し箇所に増し目を形成するステップ。
【請求項３】
前記ｅのステップに続いて編み出し箇所の増し目を係止する一方の針床の針へ編糸を供給して増し目に続く編目コースを形成し、これに続いて増し目を係止する他方の針床の針へ編糸を供給して増し目に続く編目コースを形成するすることを特徴とする請求項２に記載の編地の編み出し方法。
【請求項４】
前記編み出し箇所から編地を前後に分岐して第１の編地、第２の編地からなる断面２層状の編地を編成することを特徴とする請求項２または３に記載の編地の編み出し方法。
【発明の詳細な説明】
【技術分野】
【０００１】
本発明は新規な編み出し構造を有する編地およびこれを横編機を用いて編成する方法に関する。
【背景技術】
【０００２】
増し目を一度にたくさん作り、これを編み出し部として編地を編み始めることがよくある。図１は筒状編成されたシームレスニットウエアで、タイツ２７、セーター１、タンクトップ２８を示す。図中の矢印は各編地の編成方向を示し、タイツ２７は足首から編み始め腰部で編み終わる、セーター１は通常のものとは編み方向が逆で肩から編み始め裾で編み終わる、タンクトップ２８は裾から肩に向けて編まれる。タイツ２７では股、セーター１では肩部分５、タンクトップ２８では脇部で身頃の編目と直交する向きで重ねられる肩紐へと延びる部分２９、の編み出し部Ｓで増し目を行って編み幅を一気に増やすようにする。本出願人の提案による特公平３−７５６５６号公報には２枚ベッド横編機でリブ編みを有する筒状のニットウエアの編成方法が開示されている。
【０００３】
図６はセーター１の編み出し部Ｓとなる右肩部分５における従来の編成ステップを示す。セーター１は衿ぐり３を中心に左右対称に編成される。図６の左に示す数字は編成ステップ、その隣の左右の矢印は給糸方向を示す。ＦＢは前針床、ＢＢは後針床を示す。下のアルファベットは針を示し、大文字Ａ，Ｂ，Ｃ…は筒状編成される身頃の前身頃７の編成に使用され、小文字ａ，ｂ，ｃ，…は後身頃９の編成に使用される。なお説明の便宜上針数は極少数としてある。
【０００４】
ステップ１、２は衿ぐり３の編成を示し、ステップ１で給糸口１１１を右へ移動して前針床の針Ａ，Ｂに給糸し、続くステップ２では給糸口１１１を左に向けて移動して針ｂ，ａに給糸する。このような編成を繰り返して衿ぐり開口４を形成する。ステップ３はステップ１と同じく前身頃７の衿ぐりのコース編成を行うとともに針Ｃ以降は編糸１１３を前針床の針Ｃ、後針床の針ｃ、前針床の針Ｄ、後針床の針ｄ、・・・にジグザグ状に給糸してこれら針に編糸をフックさせ右肩部分の編み出しコースとする。ステップ４，５は上記ステップ３で形成した編目に続くコースの編成を示し、ステップ４では前針床の針で衿ぐりを含む前身頃７の編目コース１１６の編成を行い、ステップ５ではこれに対応する後身頃９の編目コース１１７の編成を行う。図示しないが、ステップ４とステップ５の間の破線で示す部分で身頃の左肩部分の編出し部の編目を上記と同様な方法で形成する。
【０００５】
ステップ３〜５では編み出し部の編目サイズを細かくして編成する。編み出し部Ｓを上記のようにして編成した後は、所望の大きさの編目サイズにしてステップ６，７に示すような編成を繰り返し行うことで前身頃７と後身頃９が両端で連結された筒状構造をした身頃を編成する。図７は横編機の針床上から垂下する筒状編地の縦断面であり、ＦＢは前針床、ＢＢは後針床を示す。
【０００６】
図８は図６の編成によって編まれた編地を編み出し部分Ｓを中心にして前後に広げた平面視によるループ構造図（図７の矢Ｐ方向の展開図）を示す。図９は編み出し部Ｓで編地を折り畳んだ状態の前身頃側（図７の矢Ｆ方向の展開図）を示す。これら図からわかるようにコース１１５の編糸１１３は前後の針間に連絡する編糸部分１１５ａ，１１５ｂが略並行で比較的長い範囲に渡って延びている。その結果、このようにして編まれた編地は増し目箇所が緩くだらしない外観を呈することになる。これは編み出し時の度目（編目サイズ）調整では解決できない問題である。
【０００７】
このような問題は筒状編地のように前身頃、後身頃を２層状に重ね合わせた状態で編成される編地だけに限られるものでなく、一層の編地として編まれる編地の場合にも当てはまるもので、編み組織が平編み、リブ編みにかかわらず問題となる。
【発明の開示】
【発明が解決しようとする課題】
【０００８】
本発明は、編目のない部分に対して一気に多くの増し目を形成してなる編み出し部が従来のものに比べてより引き締まったものにすることを目的とする。
【課題を解決するための手段】
【０００９】
本発明の編地では、編地を構成する編糸が前の編目から後の編目、後の編目から前の編目へジグザグ状に延びて形成される前後の複数の編目からなる編み出しコースを有する横編機で編まれた編地において、前記編み出しコースにおける前の各編目から後の各編目へ延びる編糸部分と後の前記各編目から続く前の各編目に延びる編糸部分がそれぞれ交差した編み出し構造を有することを特徴とする。
【００１０】
また本発明の編成方法では、左右方向に延び、かつ前後方向に互いに対向する少なくとも第１の針床と第２の針床を有する横編機を用いて、編地を編み始めるために前後針床の針に対して一度にたくさんの増し目を形成し、該形成した編み出し箇所から編地を編成する方法において、増し目は編地を編み出す領域の一端側から他端側に向けて順次ひとつずつ形成されていくものであり、以下のステップを含む；
ａ）給糸口を前記領域の一端側に向けて移動して編糸を一方の針床の最初の針にフックさせ最初の増し目を形成するステップ、
ｂ）編糸を前記領域の他端側に向けて移動して次に増し目を形成する針を越える位置へ案内するステップ、
ｃ）給糸口を前記領域の一端側に向けて移動して編糸を他方の針床の最初の針にフックさせ次の増し目を形成するステップ、
ｄ）編糸を前記領域の他端側に向けて移動して次に増し目を形成する針を越える位置へ案内するステップ、
ｅ）上記ステップａ〜ｄを前記領域にある続く前後の針床の針に対して繰り返し行って編地の編み出し箇所に増し目を形成するステップ。
【００１１】
好ましくは前記ｅのステップに続いて編み出し箇所の増し目を係止する一方の針床の針へ編糸を供給して増し目に続く編目コースを形成し、これに続いて増し目を係止する他方の針床の針へ編糸を供給して増し目に続く編目コースを形成することを特徴とする。
【００１２】
また好ましくは前記編み出し箇所から編地を前後に分岐して第１の編地、第２の編地からなる断面２層状の編地を編成することを特徴とする。
【発明の効果】
【００１３】
本発明によれば横編機を用いて遂行される編み出し部の編成方法は、編地を編み出す領域の一端側から他端側に向けて増し目が順次ひとつずつ形成されていくものである。先ず給糸口を前記領域の一端側に向けて移動して編糸を一方の針床の増し目を形成すべく最初の針にフックさせる。続いて編糸を前記領域の他端側に向けて移動し、このとき針による編糸のフックは行わず次に増し目を形成する針を越える位置へ案内する。そして再度給糸口を前記領域の一端側に向けて移動して編糸を他方の針床の増し目を形成すべく最初の針にフックさせる。給糸の向きを上記のようにして増し目を形成するので編目の基部では編糸が交差した捻じれ目となる。このような編成を他端側に向けて繰り返し行って編み出す領域に前後の編目からなる編目コース（編目列）を形成する。そのため編み出しコースでは前の各編目から後の各編目へ延びる編糸部分と後の前記各編目から続く前の各編目に延びる編糸部分がそれぞれ交差するので各編目をはっきりと区画できる。更に編糸同士が交差することで前後の増し目は共に近接した状態となって編み出し部はしっかりしたものとなり従来のもののような緩さを感じさせない。
【００１４】
また編み出し部の編目コースを上記のように形成した後に一方の針床の針へ編糸を供給して増し目に続く編目コースを形成し、これに続いて増し目を係止する他方の針床の針へ編糸を供給して増し目に続く編目コースを形成することで編み出しコースの編目がこれに続けて形成された編目コースによりしっかりと固定され解けることがなくなる。
【００１５】
また編み出し部に続いて編地を前後に分岐して第１の編地、第２の編地からなる断面２層状の編地を編成した場合には、前後の増し目は共に近接した状態となるので少なくとも編み丈方向の伸縮性が付与されることになる。
【発明を実施するための最良の形態】
【００１６】
次に本発明の好適な実施例として図１に示すセーター１の肩部分の編み出し部Ｓの編成について図面と共に以下に説明する。図２は増し目箇所の編成ステップ、図４は編み出し部分Ｓを中心にして編地を前後に広げたループ構造図、図５は編み出し部Ｓで折り畳んだ状態の前身頃側を示し、これらはそれぞれ先の図６、図８、図９に対応する。本実施例では図示しないが上面に夫々多数の編針を列設した前針床と後針床を前後対峙し、後針床が左右にラッキング可能で、前後針床間で目移しが可能ないわゆる汎用タイプの２枚ベッド横編機が使用される。
【００１７】
セーター１は一般のものと編成の向きが逆で肩から裾に向けて編成される。セーター１は衿ぐり３を中心に左右対称に編成される。ここでは右肩部分５の編成について説明する。
【００１８】
ステップ１，２は図６のステップ１，２と同じで衿ぐり３の編成を示す。ステップ３はステップ１と同じで前身頃７の衿ぐりのコース編成を示すが、次コースから始まる増し目編成を考慮して給糸口１１は少なくとも針Ｃの外方まで移動させる。
【００１９】
次のステップ４〜１７は右肩部分５の編み始め箇所の編成を示す。ステップ３を終えた状態では針Ｃ，ｃ，Ｄ，ｄ…には未だ右肩部分５には何の編目も編糸１３によって形成されていない空針の状態にある。ステップ４では給糸口１１を左向きに移動させ、前針床の針Ｃに編糸１３をフックさせる。次のステップ５では給糸は行わず給糸口１１のみを針ｃの外方まで移動させ、ステップ６で給糸口１１を左へ移動して後針床の針ｃに編糸１３をフックさせる。上記ステップ４〜６に示すように編み幅が増やされる箇所、本実施例では衿ぐり３に対して右側では左向きに給糸して編出し部Ｓの編目を形成する。このようにして続くステップ７〜１５の編成を行い、編み幅を増す部分に対して上記ステップ４およびステップ６に示す方法で編目を形成する。
【００２０】
図３は図２のステップ１４が終了した時点における平面視における針床での編目の係止状態を示し、増し目された編目が全て捻られた状態になっていて、これら編目で編み出しのコース１５を形成する。
【００２１】
ステップ１６，１７は上記形成した編目に続くコースの編成を示し、ステップ１６では前針床の針で衿ぐりを含む前身頃の編目コース１６の編成を行い、ステップ１７ではこれに対応する後身頃の編目コース１７の編成を行う。図では省略しているが、ステップ１６とステップ１７の破線で示す部分で身頃の左肩部分の編出し部の編目を上記と同様な方法で形成する。図３に示すように後身頃９の編成は、前身頃７の針Ａ，Ｂ，…に対して１つ右へシフトした針ａ，ｂ，…を使用して編成されている。そのため右肩部５の編み出しでは側端の針ｂに近い前針床の針Ｃから増し目を形成する。図示しないが左肩部においては側端の針に近い針は後針床の針となるので後針床の針から増し目を形成するほうが好ましい。以降ステップ１８，１９に示すような編成を繰り返し行うことで筒状の身頃を形成する。
【００２２】
図４は、図３に示す編成によって編まれた編地を編み出し部分Ｓを中心にして前後に展開した平面視によるループ構造図を示す。図５は編み出し部Ｓで編地を折り畳んだ状態の前身頃側を示す。これら図からわかるように編み出しコース１５では前の各編目から後の各編目へ延びる編糸部分１５ａと後の前記各編目から続く前の各編目に延びる編糸部分１５ｂがそれぞれ交差している。この編糸の交差によって編目同士がはっきりと区画される。例えば図４においては編目２１，２２，２３，２４，２５，２６の６個の編目がはっきりと区画されている。そのため従来の編み出しコース（図８，９参照）のように編糸同士が交差することなく真っ直ぐに延びたものとは様相を異にする。編み出しコース１５の前後の編目に延びる各編糸部分１５ａ，１５ｂが交差することで前の増し目２１，２３，２５と後の増し目２２，２４，２６は接近した緊密な状態となり、編み出し部Ｓは従来のような緩さを感じさせない。また編み出し部Ｓがこのような構造となっているので少なくとも編み丈方向の伸縮性が付与され、編み出し部Ｓに引っ張り力が働いても編地は伸びて編糸１３が容易に破断しなくなるといった効果も期待できる。
【００２３】
なお編み出し構造に特徴を有する本発明の編地を得るための編成方法を上記に示したが、前後の編目からなる編み出しコースの前の編目から後の編目へ延びる編糸部分と後の編目から続く前の編目に延びる各編糸部分がそれぞれ交差できるものであれば上記以外の編成方法によるものであってもよい。また上記実施例では肩から裾へと逆編みされる筒状ニットウエアを例に編地編成の途中で増し目を形成して編み幅を一気に広げる例を示したが、本発明はこれら実施例に限定されるものではなく、例えば全く最初からこのような方法で編み出し編成を行って編地の編成を開始する場合（図１のＳ１）にも勿論使用できる。また上記では空針に対して編糸をフックさせて増し目を形成するようにしたが、編地が針床下方に設けた引き下げ装置で容易に引き下げられるように編み出し領域に対して予め捨て編み等を行って、引き下げ作用が受け易いようにしてから上記編み出し編成を行うにしてもよい。また本発明の編成方法を適用できる編地は上記例のような編み出し部から前後に分岐した２層状の編地に限られるものではなく、編み出し後、リブ編みされるような単層の編地としてもよいなど本発明の趣旨を逸脱しない範囲で実施できるのはいうまでもない。
【図面の簡単な説明】
【００２４】
【図１】本発明の編成方法を適用して編まれるニットウエアとしてのタイツ、セーター、タンクトップを示す。
【図２】実施例１に係るセーターの右肩部分の編み出し箇所の編成ステップを示した図である。
【図３】図２のステップ１５が終了した時点における平面視における針床上での各針での編目の係止状態を示す。
【図４】実施例１に係る編地を編み出し部分Ｓを中心にして前後に広げた平面視によるループ構造図を示す。
【図５】実施例１に係る編地を編み出し部Ｓで折り畳んだ状態の前身頃側を示す。
【図６】従来の増し目箇所の編成ステップを示す。
【図７】横編機の針床上から垂下する筒状編地の縦断面を示す。
【図８】従来の方法によって編まれた編地を編み出し部分Ｓを中心にして前後に広げた平面視によるループ構造図を示す。
【図９】従来の方法によって編まれた編地を編み出し部Ｓで折り畳んだ状態の前身頃側を示す。
【符号の説明】
【００２５】
１  セーター
３  衿ぐり
４  衿ぐり開口
５  右肩部分
７  前身頃
９  後身頃
１１，１１１  給糸口
１３，１１３  編糸
１５，１１５  編み出しコース
２１，２２，２３，２４，２５，２６  増し目
２７  タイツ
２８  タンクトップ
【図１】
0004203414.tif 000002
【図２】
0004203414.tif 000003
【図３】
0004203414.tif 000004
【図４】
0004203414.tif 000005
【図５】
0004203414.tif 000006
【図６】
0004203414.tif 000007
【図７】
0004203414.tif 000008
【図８】
0004203414.tif 000009
【図９】
0004203414.tif 000010